(57)【要約】【課題】  電源ボタンを押してから映像表示までの時間を短縮する映像表示システム及び映像表示装置を提供する。【解決手段】  映像を表示する映像表示装置１と，装置１の電源のＯＮ／ＯＦＦおよび各種操作を遠隔操作するリモートコントローラ３とを有する映像表示システムにおいて，ユーザーが視聴する状態にあることを識別して電源起動信号を装置１に送信する視聴状態識別回路４を有しており，映像表示装置１は，電源停止状態から内部回路を起動し映像表示するまでの状態が第一電源起動状態と第二電源起動状態に分かれており，視聴状態識別回路３からの電源起動信号を受信して電源停止状態から第一電源起動状態となり，リモートコントローラ３から電源ＯＮの信号を受信して第一電源起動状態から第二電源起動状態となり映像表示する。【選択図】        図１
2007124210.tif 000002
【特許請求の範囲】
【請求項１】
映像を表示する映像表示装置と，前記映像表示装置の電源のＯＮ／ＯＦＦおよび各種操作を遠隔操作するリモートコントローラとを有する映像表示システムにおいて，
ユーザーが視聴する状態にあることを識別して電源起動信号を前記映像表示装置に送信する視聴状態識別回路を有しており，
前記映像表示装置は，電源停止状態から内部回路を起動し映像表示するまでの状態が第一電源起動状態と第二電源起動状態に分かれており，そして，前記視聴状態識別回路からの電源起動信号を受信して電源停止状態から第一電源起動状態となり，かつ，前記リモートコントローラから電源ＯＮの信号を受信して第一電源起動状態から第二電源起動状態となり映像表示することを特長とする映像表示装置。
【請求項２】
前記リモートコントローラは，自分の傾きを検出する傾き検出回路を備えており，前記視聴状態識別回路は，前記傾き検出回路の検出結果を受けてユーザーが視聴する状態にあることを識別し前記電源起動信号を前記映像表示装置に送信する請求項１記載の映像表示システム。
【請求項３】
前記リモートコントローラは，接触式のセンサーからなる接触検出回路を備えており，前記視聴状態識別回路は，前記接触検出回路の検出結果を受けてユーザーが視聴する状態にあることを識別し前記電源起動信号を前記映像表示装置に送信する請求項１記載の映像表示システム。
【請求項４】
前記リモートコントローラは，ユーザーが映像表示装置の視聴可能位置にいることを検知する人体検知回路を備えており，前記視聴状態識別回路は，前記人体検知回路の検知結果を受けてユーザーが視聴する状態にあることを識別し前記電源起動信号を前記映像表示装置に送信する請求項１記載の映像表示システム。
【請求項５】
前記映像表示装置は，電源停止状態から第一電源起動状態となるまでの動作周波数を実動作時より低い周波数で動作させる請求項１記載の映像表示システム。
【請求項６】
前記映像表示装置は，前記視聴状態識別回路からの信号により起動したにもかかわらず，電源ＯＮの信号があらかじめ定められた時間以内に入力されない場合は，電源停止する請求項１記載の映像表示システム。
【請求項７】
前記映像表示装置は，映像表示している際に，前記リモートコントローラから電源ＯＦＦの信号を送られると，一定期間，第一電源起動状態と同じ状態で保つ請求項１記載の映像表示システム。
【請求項８】
前記リモートコントローラは，前記視聴状態識別回路を内蔵する請求項１〜７のいずれか１項に記載の映像表示システム。
【請求項９】
映像を表示し，リモートコントローラからの遠隔操作により電源のＯＮ／ＯＦＦおよび各種操作を行う映像表示装置において，
電源停止状態から内部回路を起動し映像表示するまでの状態が第一電源起動状態と第二電源起動状態とに分れており，そして，視聴状態識別回路からの電源起動信号を受信して電源停止状態から第一電源起動状態となり，かつ，前記リモートコントローラから電源ＯＮの信号を受信して第一電源起動状態から第二電源起動状態となり映像表示することを特長とする映像表示装置。
【発明の詳細な説明】
【技術分野】
【０００１】
本発明は，映像表示システム及び映像表示装置に関し，特にリモートコントローラで電源ＯＮ／ＯＦＦ及び各種操作が行われる映像表示装置における起動時間短縮に関するものである。
【背景技術】
【０００２】
近年の映像表示装置は，液晶ＴＶに代表されるようにデジタル的に信号処理を行うものが多数を占めている。また，高解像度の映像信号入力への対応や，高度なデジタル処理を行う等，内部システムには高速なＣＰＵや大規模集積回路が必要になり，動作させるためのソフトウエアも複雑になっている（特許文献１参照）。
【特許文献１】特開２０００−３７０４５号公報
【発明の開示】
【発明が解決しようとする課題】
【０００３】
そのため，内部システムの起動（ＣＰＵのブート処理や大規模集積回路の初期化／設定）のために時間が増大し，電源ボタンを押してから映像が表示されるまでかなりの時間が必要になっている。映像が表示されるまでの時間が長いことは，ユーザーに対し不快感を与える可能性が高い。
【０００４】
また，視聴中に誤って電源ボタンを押す操作をした場合，一度電源が切られてから再度立ち上げ処理に移行するため，すぐ視聴を開始することが不可能である。
【０００５】
本発明の目的は，電源ボタンを押してから映像表示までの時間を短縮する映像表示システム及び映像表示装置を提供することにある。
【課題を解決するための手段】
【０００６】
本発明は，前記目的を達成するため，リモートコントローラで電源のＯＮ／ＯＦＦおよび各種操作が行われる機能を持つ映像表示装置において，ユーザーが視聴する状態にあるかどうかを識別する視聴状態識別回路と，内部回路のみを起動する機能を備え，前記リモートコントローラから電源ＯＮの信号が送信される前に，ユーザーが視聴可能な状態にあると判断した場合には，内部回路を事前に起動することにより，電源ＯＮの信号から映像の表示までの時間を短縮することを特長とするものである。
【０００７】
すなわち，本発明は，映像を表示する映像表示装置と，前記映像表示装置の電源のＯＮ／ＯＦＦおよび各種操作を遠隔操作するリモートコントローラとを有する映像表示システムにおいて，ユーザーが視聴する状態にあることを識別して電源起動信号を前記映像表示装置に送信する視聴状態識別回路を有しており，前記映像表示装置は，電源停止状態から内部回路を起動し映像表示するまでの状態が第一電源起動状態と第二電源起動状態に分かれており，そして，前記視聴状態識別回路からの電源起動信号を受信して電源停止状態から第一電源起動状態となり，かつ，前記リモートコントローラから電源ＯＮの信号を受信して第一電源起動状態から第二電源起動状態となり映像表示する映像表示装置である。
【０００８】
また，本発明は，前記リモートコントローラは，自分の傾きを検出する傾き検出回路を備えており，前記視聴状態識別回路は，前記傾き検出回路の検出結果を受けてユーザーが視聴する状態にあることを識別し前記電源起動信号を前記映像表示装置に送信する映像表示システムである。
【０００９】
そして，本発明は，前記リモートコントローラは，接触式のセンサーからなる接触検出回路を備えており，前記視聴状態識別回路は，前記接触検出回路の検出結果を受けてユーザーが視聴する状態にあることを識別し前記電源起動信号を前記映像表示装置に送信する映像表示システムである。
【００１０】
更に，本発明は，前記リモートコントローラは，ユーザーが映像表示装置の視聴可能位置にいることを検知する人体検知回路を備えており，前記視聴状態識別回路は，前記人体検知回路の検知結果を受けてユーザーが視聴する状態にあることを識別し前記電源起動信号を前記映像表示装置に送信する映像表示システムである。
【００１１】
また，本発明は，前記映像表示装置は，電源停止状態から第一電源起動状態となるまでの動作周波数を実動作時より低い周波数で動作させる映像表示システムである。
【００１２】
そして，本発明は，前記映像表示装置は，前記視聴状態識別回路からの信号により起動したにもかかわらず，電源ＯＮの信号があらかじめ定められた時間以内に入力されない場合は，電源停止する映像表示システムである。
【００１３】
更に，本発明は，前記映像表示装置は，映像表示している際に，前記リモートコントローラから電源ＯＦＦの信号を送られると，一定期間，第一電源起動状態と同じ状態で保つ映像表示システムである。
【００１４】
また，本発明は，前記リモートコントローラは，前記視聴状態識別回路を内蔵する映像表示システムである。
【００１５】
そして，本発明は，映像を表示し，リモートコントローラからの遠隔操作により電源のＯＮ／ＯＦＦおよび各種操作を行う映像表示装置において，電源停止状態から内部回路を起動し映像表示するまでの状態が第一電源起動状態と第二電源起動状態とに分れており，そして，視聴状態識別回路からの電源起動信号を受信して電源停止状態から第一電源起動状態となり，かつ，前記リモートコントローラから電源ＯＮの信号を受信して第一電源起動状態から第二電源起動状態となり映像表示する映像表示装置である。
【発明の効果】
【００１６】
本発明によれば，電源ボタンを押される前に，内部回路を起動することが可能なため，電源ボタンが押されてから内部回路を起動する場合と比較して，起動を開始した時間分高速に起動することが可能になる。
【発明を実施するための最良の形態】
【００１７】
本発明を実施するための最良の形態を説明する。
以下，本発明による映像表示システム及び映像表示装置の実施例について，図面を用いて説明する。なお，本実施の形態では映像表示装置として，チューナーと信号処理装置とＣＰＵと表示部と受信部を備えたシステムを例に説明する。
【００１８】
実施例を説明する。図１は本例におけるシステム構成を示すブロック図である。なお，本ブロック図は本発明に必要な機能を記載したものであり，実際の映像表示装置としての機能を全て表している訳ではない。
【００１９】
本システムは，映像表示装置１と，リモートコントローラ３と，視聴状態識別回路４と，人体検出部２１とからなる。映像表示装置１は，受信した放送を映像として表示する。リモートコントローラ３は，映像表示装置１の動作を遠隔指示する。視聴状態識別回路４は，ユーザーが視聴可能な状態にあるかどうかを判断し，その結果を映像表示装置１に送信する。人体検出部２１は，人体の動きを検出し，その情報を視聴状態識別回路４に送信する。
【００２０】
図１において，映像表示装置１は，チューナー１１と信号処理部１２とＣＰＵ１３と受信部１４と表示部１５を持つ。チューナー１１は，アンテナ２と接続され，放送を受信しビデオ信号に変換する。ビデオ信号は，信号処理部１２に入力されて，様々な処理を施される。本例の場合，信号処理部１２では，ビデオ信号をアナログからデジタルに変換する機能を持ち，デジタル的に映像を処理している。処理された映像は，表示部で表示される。また，リモートコントローラ３及び視聴状態識別回路４からの信号を受信する受信部１４を備え，ＣＰＵ１３は受信部１で受けた信号により，チューナー１１，信号処理部１２，表示部１５を制御する。
【００２１】
映像表示装置１は，リモートコントローラ３から電源ＯＮの信号が送信される前にユーザーが視聴する状態にあると判断した場合には，内部回路を事前に起動することにより，電源ＯＮの信号から映像の表示までに時間を短縮することが可能になる。すなわち，映像表示装置１は，電源停止状態から内部回路を起動し映像表示するまでの状態が第一電源起動状態と第二電源起動状態に分かれている。そして，視聴状態識別回路４からの電源起動信号を受信して電源停止状態から第一電源起動状態となり，リモートコントローラ３から電源ＯＮの信号を受信して第一電源起動状態から第二電源起動状態となり映像表示する。
【００２２】
リモートコントローラ３は，図３に示すように，電源ボタンや各種操作を行うための操作部３１と，操作部３１からの信号を通信コマンドに変換する制御部３２と，映像表示装置１と通信するための送信部３３で構成される。さらに視聴状態識別回路４へ情報を送信する通信部３４と，リモートコントローラの傾きを検出する傾き検出回路３５で構成される。図４に示すように，ユーザーがリモートコントローラに触れたことを検出する接触検出回路３６を更に有するよう構成することも可能である。傾き検出回路３５と接触検出回路３６はどちらか一方または両方実装しても良い。
【００２３】
視聴状態識別回路４は，図３〜図５に示すように，外部からの情報を受け取る通信部４１と，受け取った情報を元にユーザーが視聴可能な状態にあるかどうかを判断する制御部４２と，その結果を映像表示装置１に伝える送信部４３とで構成される。視聴状態識別回路４は，リモートコントローラ３からの情報や，人体識別回路２１の情報をもとに，ユーザーが視聴可能な状態にいるかを判断し，映像表示装置１に送信し，ＣＰＵ１３が起動の制御を行う。なお，視聴状態識別回路４は，リモートコントローラ３に内蔵され，または，別体となっている。
【００２４】
視聴状態識別回路４は，傾き検出回路３５からリモートコントローラ３の傾き情報を得てユーザーが視聴可能かを判断する。また。接触検出回路３６からユーザーがリモートコントローラ３を保持しているか等の情報を得て，ユーザーが視聴可能かを判断する。さらに，視聴可能な位置にユーザーが来た事を検出し，ユーザーが視聴可能かを判断する。
【００２５】
次に本実施例の映像表示装置の動作の一例について説明する。図２は映像表示装置１の起動時の動作を示したフローチャートである。ＣＰＵ１３は主電源が投入された後は，視聴状態識別回路４からの信号が入力されるまで待機している（Ｓ１）。視聴状態識別回路４からの信号が，ユーザーが視聴可能な状態に無いことを示す場合はそのまま待機し続け，ユーザーが視聴可能な状態にある事を示す場合はＣＰＵ１３のブート処理（Ｓ２）に移行する。ＣＰＵ１３がブートした後，信号処理部１２の初期化（Ｓ３），信号処理部１２のモード設定（Ｓ４），入力部モード設定（Ｓ５）を行い，信号処理部１２の出力映像が安定するまで待機する（Ｓ６）。この間は，表示部１５をミュート状態に設定するため，出力映像が安定しても，表示部１５に映像が表示されることはない。ここまでの処理は，実動作中の動作周波数より低い周波数で行うことも可能である。
【００２６】
信号処理部１２の起動を行っている間に電源ボタンが押されていた場合は，表示部１５のミュートを解除し，映像を表示し（Ｓ８,Ｓ９），電源ＯＮの処理を終える。
【００２７】
出力映像が安定するまでに電源ボタンが押されていない場合は，あらかじめ定められた時間（ｎ秒）待機する（Ｓ１０）。定められた時間を過ぎても電源ボタンが押されない場合は，ユーザーに視聴の意志がないと判断し，電源ＯＦＦの処理を行う（Ｓ１１）。
【００２８】
次に視聴可能な状態を判断する方法の一例を説明する。まず，傾き検出回路３５は，リモートコントローラ３自身の傾き量を検出し，視聴状態識別回路４に値を送信する。視聴状態識別回路４は，その値から，ユーザーがリモートコントローラ３を持ち上げたかどうかを判断する。持ち上げた場合は視聴する意志があると判断し，映像表示装置１にその情報を送信する。
【００２９】
接触検出回路３６は，リモートコントローラ３にユーザーが触れたことを検出し視聴状態識別回路４に値を送信する。視聴状態識別回路４は，その値から，ユーザーがリモートコントローラ３を操作しようとする意志があるかどうかを判断する。たとえば触れた時間がある一定時間以上なら，操作する意志有りと判断し，短い場合はリモートコントローラの移動と判断する。操作しようとする意志が有れば，視聴をする意志があると判断し，映像表示装置１にその情報を送信する。
【００３０】
次に人体検出回路２１は，映像表示装置１が視聴可能な位置にユーザーが移動した事を検出する。検出した情報を視聴状態識別回路４に送信し，視聴状態識別回路４は，その値からユーザーが視聴可能位置にいることを判断し，映像表示装置１にその情報を送信する。
【００３１】
次に本実施例の映像表示装置における電源ＯＦＦ時の動作の一例について説明する。図６は，電源ＯＦＦ時の動作を示すフローチャートである。映像表示装置１は，表示をミュート状態とする（Ｓ１２）。そして，再度電源ボタンが押されたか判断し（Ｓ１３），押された場合はミュート状態を解除し（Ｓ１４），映像を表示し（Ｓ１５），電源ＯＦＦの処理を終える。
【００３２】
再度電源ボタンが押されてない場合は所定の時間（ｎ秒）経過したか判断し（Ｓ１６），終了処理を行い（Ｓ１７），電源ＯＦＦの処理を終える。
【００３３】
以上説明したように，本発明ではユーザーが視聴する状態にあるかどうかを識別する視聴状態識別回路と，ユーザーが視聴する状態にあると判断した場合に内部回路を起動する機能を備える。
【００３４】
視聴状態識別回路は，傾き検出回路からリモートコントローラの傾き情報を得てユーザーが視聴可能かを判断する。また。接触検出回路からユーザーがリモートコントローラを保持しているか等の情報を得て，ユーザーが視聴可能かを判断する。さらに，視聴可能な位置にユーザーが来た事を検出し，ユーザーが視聴可能かを判断する。
【００３５】
リモートコントローラから電源ＯＮの信号が送信される前にユーザーが視聴する状態にあると判断した場合には，内部回路を事前に起動することにより，電源ＯＮの信号から映像の表示までに時間を短縮することが可能になる。
【図面の簡単な説明】
【００３６】
【図１】本発明の実施の形態を示すブロック図である。
【図２】本発明の動作を示すフローチャートである。
【図３】本発明の傾き検出回路を備えた視聴状態識別回路の例である。
【図４】本発明の接触検出回路を備えた視聴状態識別回路の例である。
【図５】本発明の人体検出回路を備えた視聴状態識別回路の例である。
【図６】本発明の電源ＯＦＦ時の動作を示すフローチャートである。
【図７】従来例を示すブロック図である。
【図８】従来の動作を示すフローチャートである。
【符号の説明】
【００３７】
１  映像表示装置，２  アンテナ，３  リモートコントローラ，４  視聴状態識別回路，１１  チューナー，１２  信号処理部，１３  ＣＰＵ，１４  受信部，１５  表示部，３１  操作部，３２  制御部，３３  送信部，３４  通信部，３５  傾き検出回路，３６  接触検出回路，４１  通信部，４２  制御部，４３  送信部
【図１】
2007124210.tif 000003
【図２】
2007124210.tif 000004
【図３】
2007124210.tif 000005
【図４】
2007124210.tif 000006
【図５】
2007124210.tif 000007
【図６】
2007124210.tif 000008
【図７】
2007124210.tif 000009
【図８】
2007124210.tif 000010